(57)【要約】【課題】椅子のクッション性及び外観性を、座部の構造をできるだけ簡素なものとしながら、効果的に向上できるようにする。【解決手段】座部１を脚部２上に回転可能に備えた椅子である。座部１は、底部１０ａとこの底部１０ａを巡り且つこの底部１０ａよりも上方に位置する外周部１０ｂとを備え、底部１０ａの外側を回転支持部材３の上側部分３０への固定部とした剛体部分１０と、剛体部分１０の前記外周部１０ｂに囲われた空間を、底部１０ａとの間に間隔を開けて覆う弾性体部分１１とを備えている。回転支持部材３の上側部分３０に回転可能に組み合わされたこの回転支持部材３の下側部分３１を脚部２側に固定させてなる。【選択図】図１
2015029761.tif 000002
【特許請求の範囲】
【請求項１】
座部を脚部上に回転可能に備えた椅子であって、
前記座部は、底部とこの底部を巡り且つこの底部よりも上方に位置する外周部とを備え、前記底部の外側を回転支持部材の上側部分への固定部とした剛体部分と、
前記剛体部分の前記外周部に囲われた空間を、前記底部との間に間隔を開けて覆う弾性体部分とを備えており、
前記回転支持部材の上側部分に回転可能に組み合わされたこの回転支持部材の下側部分を前記脚部側に固定させてなることを特徴とする椅子。
【請求項２】
剛体部分が、三次成形合板であることを特徴とする請求項１に記載の椅子。
【発明の詳細な説明】
【技術分野】
【０００１】
この発明は、座部を脚部上に回転可能に備えた椅子の改良に関する。
【背景技術】
【０００２】
座部１００を、回転支持部材３００を介して、脚部２００側に回転可能に組み合わせてなる椅子がある。
【０００３】
図４は、この種の椅子を、前記回転支持部材３００を構成する下側部分３０２に対し、回転可能に組み合わされた上側部分３０１を、座部１００を構成する座板の裏面に固定して構成させた例を示している。この例では、座部１００のクッション性は座板の上面に備えられるクッション材４００にのみ依存する。したがって、かかるクッション性を向上させるためには、前記クッション材４００を厚くする他ないが、単純にクッション材４００の厚さを大きくさせると椅子の外観性を低下させる。
【０００４】
図５は、座部１００を枠状体１０１とこの枠状体１０１の上面開口を覆うシート体１０２とにより構成させた例を示している。この例では、着座時にシート体１０２の変形を許容する空間を確保できることから、図４の例のようにクッション材４００を用いなくても座部にクッション性を持たせることができ、したがって、図４の例に比べて座部１００の外観をスッキリとしたものにできる。しかしながら、図５の例では、回転支持部材３００を座部１００に固定するために、前記枠状体１０１の内方に回転支持部材３００の固定用の部材１０３を架設することを余儀なくさせる。
【発明の概要】
【発明が解決しようとする課題】
【０００５】
この発明が解決しようとする主たる問題点は、この種の椅子のクッション性及び外観性を、座部の構造をできるだけ簡素なものとしながら、効果的に向上できるようにする点にある。
【課題を解決するための手段】
【０００６】
前記課題を達成するために、この発明にあっては、椅子を、座部を脚部上に回転可能に備えた椅子であって、
前記座部は、底部とこの底部を巡り且つこの底部よりも上方に位置する外周部とを備え、前記底部の外側を回転支持部材の上側部分への固定部とした剛体部分と、
前記剛体部分の前記外周部に囲われた空間を、前記底部との間に間隔を開けて覆う弾性体部分とを備えており、
前記回転支持部材の上側部分に回転可能に組み合わされたこの回転支持部材の下側部分を前記脚部側に固定させてなるものとした。
【０００７】
剛体部分は、単一の部材であり、この剛体部分を回転支持部材の上側部分に固定することにより、座部を脚部上に適切に回転可能に備えさせることができる。すなわち、座部を複数の部材から構成することなく、脚部上に適切に回転可能に備えさせることができる。また、剛体部分は、底部の周りにこれより高い外周部を有することから、この外周部内の空間を覆うように備えられた弾性体部分の着座時の変形を許容する前記間隔を形成する。これにより、かかる弾性体部分のみでも座部のクッション性を充分に確保させることができる。
【０００８】
前記剛体部分は、三次成形合板とすることが、この発明の好ましい態様の一つとされる。
【発明の効果】
【０００９】
この発明によれば、座部を脚部上に回転可能に備えた椅子のクッション性及び外観性を、座部の構造をできるだけ簡素なものとしながら、効果的に向上することができる。前記座部は、剛体部分と弾性体部分とから適切に構成可能であり、部品点数及び製造手間は最小化でき、この種の椅子の低廉供給に資する。
【図面の簡単な説明】
【００１０】
【図１】図１はこの発明の一実施の形態にかかる椅子の要部破断側面構成図である。
【図２】図２は図１の椅子の分解斜視構成図である。
【図３】図３は図１の椅子の座部にクッション材を追加した例を示した要部破断側面構成図である。
【図４】図４は従来例の側面構成図である。
【図５】図５は従来例の側面構成図（ａ図）及び座部の要部の斜視構成図（ｂ図）である。
【発明を実施するための形態】
【００１１】
以下、図１〜図３に基づいて、この発明の典型的な実施の形態について、説明する。この実施の形態にかかる椅子は、座部１を脚部２上に回転可能に備えている。座部１は、回転支持部材３を介して、脚部２側に回転可能に組み合わされている。
【００１２】
回転支持部材３は、上側部分３０と、この上側部分３０に回転可能に組み合わされた下側部分３１とを有している。回転支持部材３の上側部分３０は座部１を構成する後述の剛体部分１０の底部に固定され、下側部分３１は脚部２側に固定される。回転支持部材３は、かかる上側部分３０と下側部分３１とを持つものであれば足り、各種の公知の構造のものを利用して構わない。
【００１３】
図示の例では、回転支持部材３を構成する上側部分３０と下側部分３１とは共に方形の板状を呈している。上側部分３０の下面に形成された円形の突き合わせ部３０ａと、下側部分３１の上面に形成された円形の突き合わせ部３１ａとを突き合わせた状態で、これらの突き合わせ部分３０ａ、３１ａの中央を回転中心とした回転可能に両者は組み合わされている。上側部分３０は上面を後述の剛体部分１０の底部１０ａの外面に密着させた状態で前記突き合わせ部３１ａの外側においてこの底部１０ａにボルト止めされるようになっている。図示の例では、脚部２は、四つの脚体２０…２０を備えている。四つの脚体２０…２０はその上端同士を水平部２１を介して連接されている。回転支持部分の下側部分３１は、下面をこの水平部２１の上面に密着させた状態で前記突き合わせ部３１ａの外側においてこの水平部２１にボルト止めされるようになっている。
【００１４】
座部１は、剛体部分１０と、弾性体部分１１とを備えている。図示の例では、座部１は円形であり、剛体部分１０及び弾性体部分１１の形状もこれに対応した形状になっているが、座部１は多角形でも良く、この場合には剛体部分１０及び弾性体部分１１の形状もこれに対応した形状となる。座部１の上部が着座者の臀部の載せられる座面として機能することとなる。
【００１５】
剛体部分１０は、底部１０ａとこの底部１０ａを巡り且つこの底部１０ａよりも上方に位置する外周部１０ｂとを備えている。図示の例では、剛体部分１０は、外郭形状を円形としている。底部１０ａは円板状をなしている。外周部１０ｂは底部１０ａの全周に亘って底部１０ａと一体に形成されている。外周部１０ｂは剛体部分１０の内外径を上方に向かうに連れて漸増させるテーパー部１０ｃと、このテーパー部１０ｃの傾斜上端から水平方向に突き出すフランジ部１０ｄとを備えている。テーパー部１０ｃの傾斜下端は底部１０ａの外周部に一体化されている。これにより、図示の例では、剛体部分１０は、浅い椀状を呈している。
【００１６】
この剛体部分１０の底部１０ａの外側が、前記回転支持部材３の上側部分３０への固定部として機能するようになっている。典型的には、底部１０ａに貫通孔を設け、この貫通孔と上側部分３０に設けた通し孔とを利用して前記ボルト止めがなされる。これにより、剛体部分１０、ひいては座部１は、図１に符号ｘで示す垂直軸を中心とした回転可能に脚部２上に支持されるようになっている。
【００１７】
剛体部分１０は、前記底部１０ａと外周部１０ｂとを持つように構成された木材や、ＭＤＦなどの木質材から構成することができる。特に、かかる剛体部分１０は、プレス成形によって生成される成形合板、いわゆる三次成形合板によって構成することが好ましい。三次成形合板は、かかる剛体部分１０を金属により構成した場合に比べ軽量で、プラスチックにより構成した場合に比べその成形型は簡素且つ安価である一方で、充分な剛性を備えるからである。
【００１８】
弾性体部分１１は、前記剛体部分１０の前記外周部１０ｂに囲われた空間を、前記底部１０ａとの間に間隔ｙを開けて覆う。
【００１９】
弾性体部分１１は、前記剛体部分１０の前記外周部１０ｂに囲われた空間を、前記底部１０ａとの間に間隔ｙを開けて、隙間無く、あるいは、隙間は残すが実質的に覆うものであれば足り、織布、編布などの一枚のシート体から構成しても、ウェービングベルトのように複数の帯状体を組み合わせて構成しても、Ｓバネのように複数のバネ体から構成しても構わない。すなわち、弾性体部分１１は、座部１に着座による荷重が作用されない状態で前記空間を前記間隔ｙを開けて実質的に覆い、荷重が作用された場合は弾性変形して前記間隔ｙを狭め、荷重の作用がなったときは荷重作用前の位置に弾性復帰する機能を備えたものであれば足りる。
【００２０】
図示の例では、弾性体部分１１は、座部１に着座による荷重が作用されない状態では実質的に水平面を構成し、荷重が作用された場合は凹み、荷重の作用がなったときは再び前記水平面を構成するようになっている。また、図示の例では、弾性体部分１１は、剛体からなるリング体１２を介して、剛体部分１０上に備えられている。図示の例では、円形に成形されたシート体の下面外周をリング体１２の上面に止着すると共に、このリング体１２の下面を剛体部分１０の外周部１０ｂを構成するフランジ部１０ｄの上面に止着させることで、弾性体部分１１としてのこのシート体により剛体部分１０の前記空間を実質的に覆っている。このようにした場合、剛体部分１０を比較的浅く構成しても、リング体１２の厚さにより前記間隔ｙを大きく確保可能となる。図示の例とは別に、弾性体部分１１は、剛体部分１０の外周部１０ｂに弾性体部分１１を直接止着させることで、前記空間を実質的に覆うようにしても構わない。
【００２１】
剛体部分１０は、単一の部材であり、この剛体部分１０を回転支持部材３の上側部分３０に固定することにより、座部１を脚部２上に適切に回転可能に備えさせることができる。すなわち、座部１を複数の部材から構成することなく、脚部２上に適切に回転可能に備えさせることができる。また、剛体部分１０は、底部１０ａの周りにこれより高い外周部１０ｂを有することから、この外周部１０ｂ内の空間を覆うように備えられた弾性体部分１１の着座時の変形を許容する前記間隔ｙを形成する。これにより、かかる弾性体部分１１のみでも座部１のクッション性を充分に確保させることができる。
【００２２】
前記リング体１２に背もたれ１３（図２において想像線で示す。）の下端を一体に備えさせれば、背もたれ１３を備えた椅子が構成される。
【００２３】
図３に示されるように、弾性体部分１１上にはさらに、必要に応じてクッション材１４が備えられる。
【００２４】
なお、本発明は、上記の実施例に限定されるものではなく、請求の範囲に記載された発明の概念に含まれる全ての態様を含むものである。
【符号の説明】
【００２５】
１  座部
１０  剛体部分
１０ａ  底部
１０ｂ  外周部
１１  弾性体部分
２  脚部
３  回転支持部材
３０  上側部分
３１  下側部分
【図１】
2015029761.tif 000003
【図２】
2015029761.tif 000004
【図３】
2015029761.tif 000005
【図４】
2015029761.tif 000006
【図５】
2015029761.tif 000007